(57)【要約】【課題】法面の補強機能と緑化機能の両方に勝れた緑化用石詰篭構造体を得る。【解決手段】栗石３を充填した金網製の石詰篭２の上面部分に、吸水性と保水性とを有する基盤マット４を配設する共に、該基盤マット４の上に、植物の苗又は種子を植え付けた植生マット５を載置することにより緑化用石詰篭構造体１Ａを形成し、上記基盤マット４の一部を石詰篭２の側面に沿って折り曲げることにより、石詰篭近辺の土壌と接触して該土壌中の水分を吸収する吸水部４ａを形成する。【選択図】図１
2010242422.tif 000002
【特許請求の範囲】
【請求項１】
栗石を充填した金網製の石詰篭の上面部分に、吸水性と保水性とを有する基盤マットを配設すると共に、この基盤マットの上に、植物の苗又は種子を植え付けた植生マットを載置し、上記基盤マットの一部に、石詰篭近辺の土壌と接触して該土壌中の水分を吸収する吸水部を設けたことを特徴とする緑化用石詰篭構造体。
【請求項２】
上記基盤マットの一部が石詰篭の側面に沿って折り曲げられ、この折り曲げられた部分が上記吸水部を形成していることを特徴とする請求項１に記載の石詰篭構造体。
【請求項３】
上記石詰篭が、上面が開放する容器形の胴網と、該胴網の上面を塞ぐ蓋網とからなっていて、上記胴網内に充填された栗石の上に上記基盤マットと植生マットとが重ねて配設され、これらの基盤マット及び植生マットが上記蓋網で上から覆われていることを特徴とする請求項１又は２に記載の石詰篭構造体。
【請求項４】
上記石詰篭が、上面が開放する容器形の胴網と、該胴網の上面を塞ぐ蓋網とからなっていて、該蓋網の上面に上記基盤マットと植生マットとが重ねて配設され、これらの基盤マット及び植生マットが固定部材で石詰篭に固定されていることを特徴とする請求項１又は２に記載の石詰篭構造体。
【請求項５】
上記基盤マットが、繊維シートからなる多孔質の外皮内に保水材を充填することにより形成されていることを特徴とする請求項１から４の何れかに記載の石詰篭構造体。
【請求項６】
請求項１から５の何れかに記載された石詰篭構造体を、相互に位置をずらして上下に複数段段積することにより形成され、上記基盤マットは、各石詰篭の上面の、上段の石詰篭で覆われていない露出部分から土壌に至るまでの領域内に配設され、上記植生マットは、各石詰篭の上面の上記露出部分において上記基盤マット上に配設されていることを特徴とする緑化用擁壁。
【発明の詳細な説明】
【技術分野】
【０００１】
本発明は、緑化を伴う法面保護工に適した緑化用石詰篭構造体と、この石詰篭構造体で構築した緑化用擁壁とに関するものである。
【背景技術】
【０００２】
護岸工事や路肩工事あるいは傾斜地の補強工事などの法面保護工においては、通常、蛇篭やフトン篭などの金網製の石詰篭が使用されている。この石詰篭は、円形又は四角形をした金網製の篭形容器であって、内部に栗石を詰めた状態で現場に設置されるが、その設置場所が、例えば堤防や路肩あるいは山の傾斜地といったような自然環境の中にある場合には、緑化によって石詰篭を目立たなくするのが望ましいことが多い。特許文献１及び特許文献２には、四角形の石詰篭を法面保護工に用いた例が示されている。
しかし、上述したように栗石を充填した石詰篭は、通水性に勝れるが保水性は殆どないため、これに直接植物を植えて育成することは不可能に近い。このため、石詰篭に緑化のための工夫を施すことが求められている。
【先行技術文献】
【特許文献】
【０００３】
【特許文献１】実公平７−４９９号公報
【特許文献２】実公平７−２８１８１号公報
【発明の概要】
【発明が解決しようとする課題】
【０００４】
本発明の技術的課題は、法面の補強機能だけでなく緑化機能にも勝れた緑化用石詰篭構造体と、この石詰篭構造体で構築した緑化用擁壁とを提供することにある。
【課題を解決するための手段】
【０００５】
上記目的を達成するため、本発明の緑化用石詰篭構造体は、栗石を充填した金網製の石詰篭の上面部分に、吸水性と保水性とを有する基盤マットを配設すると共に、この基盤マットの上に、植物の苗又は種子を植え付けた植生マットを載置し、上記基盤マットの一部に、石詰篭近辺の土壌と接触して該土壌中の水分を吸収する吸水部を設けたことを特徴とするものである。
【０００６】
本発明において好ましくは、上記基盤マットの一部が石詰篭の側面に沿って折り曲げられ、この折り曲げられた部分が上記吸水部とされていることである。
この場合、上記石詰篭が、上面が開放する容器形の胴網と、該胴網の上面を塞ぐ蓋網とからなっていて、上記胴網内に充填された栗石の上に上記基盤マットと植生マットとが重ねて配設され、これらの基盤マット及び植生マットが上記蓋網で上から覆われていても、あるいは、蓋網の上面に上記基盤マットと植生マットとが重ねて配設され、これらの基盤マット及び植生マットが固定部材で石詰篭に固定されていても構わない。
本発明において、上記基盤マットは、繊維シートからなる多孔質の外皮内に保水材を充填することにより形成されている。
【０００７】
また、本発明の緑化用擁壁は、上記石詰篭構造体を、相互に位置をずらして上下に複数段段積することにより形成され、上記基盤マットは、各石詰篭の上面の、上段の石詰篭で覆われていない露出部分から土壌に至るまでの領域内に配設され、上記植生マットは、各石詰篭の上面の上記露出部分において上記基盤マット上に配設されている。
【発明の効果】
【０００８】
本発明によれば、栗石を充填した石詰篭と、植生マットと、吸水部を有する基盤マットとを組み合わることにより、法面の補強機能だけでなく緑化機能にも勝れた石詰篭構造体を得ることができる。また、この石詰篭構造体を使用することによって緑化のための擁壁を構築することができる。
【図面の簡単な説明】
【０００９】
【図１】石詰篭構造体の第１実施形態を示す斜視図である。
【図２】図１の石詰篭構造体の長手方向に沿った断面図である。
【図３】図１の石詰篭構造体の短手方向に沿った断面図である。
【図４】基盤マットの部分断面図である。
【図５】石詰篭構造体の第２実施形態を示す斜視図である。
【図６】図５の石詰篭構造体の短手方向に沿った断面図である。
【図７】石詰篭構造体の第３実施形態を示す上面図である。
【図８】図７の石詰篭構造体の短手方向に沿った断面図である。
【図９】図１の石詰篭構造体で構築した擁壁の断面図である。
【発明を実施するための形態】
【００１０】
図１〜図３には、本発明に係る緑化用石詰篭構造体の第１実施形態が示されている。この石詰篭構造体１Ａは、内部に栗石３が充填された金網製好ましくは菱形金網製の石詰篭２と、この石詰篭２の上面部分に配設された基盤マット４及び植生マット５によって形成されている。
【００１１】
上記石詰篭２は、上面が開放する四角い容器形をした胴網７と、この胴網７の上面を塞ぐ蓋網８とからなるもので、上記胴網７及び蓋網８の平面視形状は、一方向に長い長方形である。
上記胴網７は、一方向に長い長方形状をした底面網１０と、該底面網１０の長辺に連結された相対する第１及び第２の側面網１１，１２と、上記底面網１０の短辺に連結された相対する第３及び第４の側面網１３，１４とからなるものである。従って、上記第１及び第２の側面網１１，１２の横方向長さは、第３及び第４の側面網１３，１４の横方向長さより長い。
【００１２】
上記胴網７を形成する場合、上記底面網１０と各側面網１１，１２，１３，１４とを別々に形成し、各々の周囲に取り付けた骨線１６同士を針金やクリップあるいはスクリューストッパ等の連結金具１７で連結することにより該胴網７を形成しても、上記底面網１０と第１及び第２の側面網１１，１２とを１枚の菱形金網で一連に形成し、他の第３及び第４の側面網１３，１４は別体に形成して、それらを容器形に組み立てることにより該胴網７を形成しても良い。
また、上記胴網７と蓋網８との連結は、該蓋網８の周囲に取り付けた骨線１８と、上記各側面網１１，１２，１３，１４の上端に取り付けた骨線１６とを、上述した連結金具１７で連結することにより行われる。
【００１３】
上記基盤マット４は、図４に示すように、織布や不織布等の多孔質で吸水性及び保水性を有する柔軟な繊維シートで形成された中空の外皮２０内に保水材２１を充填して形成したもので、平面視形状が長方形の平板状をなし、マット全体として良好な吸水性及び保水性と毛細管現象による水分の浸透性とを有するものである。
【００１４】
上記保水材２１としては、通常の土砂や、観葉植物の水耕栽培（ハイドロカルチャー）で使用される多孔質の粒状土などがあり、それらが単独で又は種類の違うものを適量ずつ混合した状態で使用される。また、保水材２１の形状は、粒状、粉末状あるいは棒状等、マット全体として平板状に形成できるものであれば良く、特に制約されない。さらに、近年砂漠を緑化するための土壌保水材としても用いられている高吸水性高分子材料を用いることもできる。あるいは、この高吸水性高分子材料と通常の土砂や多孔質の粒状土等を適量混合して用いることもできる。
なお、上記粒状土には、粘度を加熱、発泡させて粒状に形成したものや、炭を粒状にしもの、天然ゼオライトを用いたものなどがあり、それらを上記保水材２１として使用する場合の好ましい粒径は１〜５ｍｍ程度である。１ｍｍより小さいと、外皮２０から流れ出す可能性があり、長期安定性に課題が生じる場合がある。また、５ｍｍより大きくなると隙間が大きくなりすぎて保水性能を劣化させる場合がある。より好ましくは２〜３ｍｍ程度であり、この範囲とすれば粒径が均一化され、長期安定性や保水性能をより向上させることができる。
また、上記基盤マット４の厚さは、上記植生マット５と同等かそれ以上であることが望ましい。
【００１５】
一方、上記植生マット５は、不織布等の多孔質で吸水性及び保水性を有する柔軟な繊維シートに、植物の苗又は種子を植え付けたものである。ここで使用される植物としては、例えば芝のように、根茎が地表近くを這うものが好ましい。
【００１６】
上記基盤マット４は、上記胴網７の内部に充填された栗石３の上に、該栗石全体を覆うように配設され、この基盤マット４の上に上記植生マット５が載置されている。そして、これらの基盤マット４と植生マット５とを覆うように上記蓋網８が、胴網７の上面に取り付けられている。従って、上記基盤マット４と植生マット５とは、石詰篭２の内部に配設されているが、その配設位置は実質的に該石詰篭２の上面部分である。
上記基盤マット４と植生マット５とは、針金等の連結金具で互いに連結されていても良い。
【００１７】
上記基盤マット４の一部は、石詰篭２の何れかの側面網の内側において該側面網即ち石詰篭２の側面に沿って下向きに折り曲げられ、この折り曲げられた部分によって吸水部４ａが形成されている。基盤マット４の一部を折り曲げる方向は、石詰篭２が法面の土壌２３に接する側面部とすることが必要であり、図９に示す例においては上記基盤マット４の一辺が石詰篭２の第１の側面網１１に沿って折り曲げられている。
【００１８】
上記吸水部４ａは、石詰篭構造体１Ａを図９のように法面に設置して擁壁２２を構築したとき、石詰篭２の近辺（例えば背面）の土壌２３に接触し、該土壌２３中の水分を吸収して基盤マット４中に取り込む役目を果たすものである。上記水分中には、植物の生育に役立つ各種栄養分が当然含まれている。
上記吸水部４ａの好ましい上下方向幅Ｈは、石詰篭２の大きさ（高さ）等によっても異なるが、通常は側面網１１の高さの１／３〜２／３程度であることが好ましい。しかし、該側面網１１の高さ方向全体に亘ってこの吸水部４ａが延在していても良い。
【００１９】
上記基盤マット４及び植生マット５は、図１〜図３に示すように常に石詰篭２の上面全面に配設されるとは限らず、石詰篭構造体１Ａの大きさやその設置態様等によっては該石詰篭２の上面の一部だけに配設されることもある。
また、これらの基盤マット４及び植生マット５は、それぞれ一枚物である必要はなく、少なくとも一方が複数に分割されていても良い。例えば、細長い帯状に形成した複数の基盤マット４及び／又は植生マット５を並べて配設することもできる。
ただし、上記植生マット５は必ず基盤マット４の上に重ねて配設され、また、基盤マット４の一部には上記吸水部４ａが形成される。
【００２０】
図９には、上述した石詰篭構造体１Ａを用いて構築された緑化用の擁壁２２が示されている。この擁壁２２は、複数の石詰篭構造体１Ａを上下２段に段積することにより階段状に形成したもので、各石詰篭構造体１Ａは、第２の側面網１２を擁壁２２の前面側に向けると共に第１の側面網１１を擁壁２２の背面側に向け、かつ、上段の石詰篭構造体１Ａを下段の石詰篭構造体１Ａより擁壁２２の背面側にずらした状態に配設され、該擁壁２２の背面には、各石詰篭構造体１Ａの背面即ち第１の側面網１１に接触するように盛り土（土壌２３）が施されている。
上記石詰篭構造体１Ａは、左右方向（第３及び第４の側面網１３，１４の方向）にも複数個連なっているが、それらの図示は省略されている。
【００２１】
上下２段に配設された石詰篭構造体１Ａのうち、上段の石詰篭構造体１Ａは、図１〜図３に示すものと同様の構成を有するものである。即ち、該上段の石詰篭構造体１Ａにおいては、基盤マット４及び植生マット５が石詰篭２の上面のほぼ全体に配設されると共に、基盤マット４の吸水部４ａが該石詰篭２の第１の側面網１１側に形成され、この吸水部４ａが、網目を通して石詰篭２内に進入した上記盛り土即ち土壌２３に接触している。
【００２２】
これに対し、下段の石詰篭構造体１Ａにおいては、基盤マット４が石詰篭２の上面のほぼ全体に配設されているが、植生マット５は、石詰篭２の上面の、上段の石詰篭構造体１Ａで覆われていない露出部分とその近辺だけに配設されている。上記基盤マット４の吸水部４ａは、上段の石詰篭構造体１Ａの場合と同様に、石詰篭構造体の背面側において石詰篭２内に進入した土壌２３に接触している。
【００２３】
かくして形成された擁壁２２において、各石詰篭構造体１Ａの植生マット５に植え付けられた植物の苗又は種子は、上記基盤マット４から直接あるいは植生マット５を通じて水分を供給されることにより、これらの植生マット５と基盤マット４との間や、外皮２０を通して基盤マット４の内部などに根を張りながら次第に成長し、擁壁２２全体を緑化させる。このとき、上記基盤マット４は、植物が根を張って成長するための育成床としての役目をも果たすが、土壌２３に接する吸水部４ａが該土壌２３から水分を吸収することによってその内部に常に水分が補給されているため、植物に対して水分を安定的に供給し続けることができ、植物生育のために長期間有効に機能する。しかも、この基盤マット４内の水分は保水材２１に蓄えられているため、小雨等によって土壌２３の水分が一定期間不足したとしても、その間、保水材２１からの水分を植物に供給することができる。
【００２４】
上記基盤マット４は、細長い帯状のものが複数並べて配設されていても良く、また、植生マット５も、複数に分割されていても良い。
さらに、下段の石詰篭構造体１Ａにおいては、上記基盤マット４を石詰篭２の上面の露出部分とその近辺だけに配設し、該石詰篭２の左右一方又は両方の側面に沿って吸水部４ａを設けることもできる。
【００２５】
上記擁壁２２は、石詰篭構造体１Ａを３段以上に段積して形成することもできる。この場合、上から３段目以下にある石詰篭構造体では、基盤マット４及び植生マット５が、図９における第２段目の石詰篭構造体と同様の態様で配設される。
【００２６】
図５及び図６には石詰篭構造体の第２実施形態が示されている。この第２実施形態の石詰篭構造体１Ｂは、基盤マット４の吸水部４ａが石詰篭２の外部にあるという点で、上記第１実施形態の石詰篭構造体１Ａと相違している。
即ち、この第２実施形態の石詰篭構造体１Ｂでは、上記基盤マット４の端部が石詰篭２の外部に導出され、導出された部分が石詰篭２の側面網１１の外面に沿って下方に折り曲げられることにより上記吸水部４ａが形成されている。この場合、上記基盤マット４で覆われた第１の側面網１１の上端部と蓋網８の端部とを連結するには、該基盤マット４の一部に穴又はスリット等からなる連結用の切欠２５を設け、この切欠２５を通じて上記第１の側面網１１の上端の骨線１６と蓋網８の端部の骨線１８とをクリップや針金等からなる連結金具２４で連結すれば良い。しかし、基盤マット４にこのような切欠２５を設けることなく、蓋網８の端部と第１の側面網１１の中間部又は下端部とを、吸水部４ａの上を渡した針金等の連結金具で連結しても良い。
【００２７】
この第２実施形態の上記以外の構成及は実質的に第１実施形態と同じであるから、それらの主要な同一構成部分に第１実施形態と同じ符号を付してその説明は省略する。
また、この第２実施形態においても、第１実施形態と同様に、上記基盤マット４及び植生マット５が、石詰篭構造体１Ｂの設置態様等によっては、石詰篭２の上面の一部だけに配設されることもある。
【００２８】
図７及び図８には石詰篭構造体の第３実施形態が示されている。この第３実施形態の石詰篭構造体１Ｃは、基盤マット４と植生マット５とが石詰篭２の外部上面に配設されているという点で、上記第１実施形態及び第２実施形態の石詰篭構造体１Ａ，１Ｂと相違している。
即ち、この第３実施形態の石詰篭構造体１Ｃでは、上記基盤マット４が蓋網８の外面に配設され、この基盤マット４の上に上記植生マット５が重ねて配設されている。また、上記基盤マット４の一部は、石詰篭２の第１の側面網１１の外側において該第１の側面網１１即ち石詰篭２の側面に沿って下方に折り曲げられ、この折り曲げられた部分によって吸水部４ａが形成されている。
そして、上記基盤マット４と植生マット５との重合体が、該重合体の上面を長手方向及び短手方向に横切るようにして相対する側面網１１，１２又は１３，１４間に掛け渡された複数の針金からなる固定部材２６により、該石詰篭２に固定されている。
【００２９】
この第３実施形態の上記以外の構成及は実質的に第１実施形態と同じであるから、それらの主要な同一構成部分に第１実施形態と同じ符号を付してその説明は省略する。
また、この第２実施形態においても、第１実施形態と同様に、上記基盤マット４及び植生マット５が、石詰篭構造体１Ｃの設置態様等によっては、石詰篭２の上面の一部だけに配設されることもある。
【００３０】
さらに、上記第３実施形態のように針金製の固定部材２６で基盤マット４及び植生マット５を固定する代わりに、植生マット５の上から石詰篭と同じ大きさの金網製の抑え用網板を被せ、この網板の周囲を針金等の金具で石詰篭２の適宜位置に連結して固定しても良い。この場合、上記網板が固定部材２６を形成する。この網板は、上記蓋網８と同様のものを使用することができるが、網目は蓋網８より大きくても構わない。
【００３１】
なお、上記各実施形態では、基盤マット４の吸水部４ａが、石詰篭２の第１の側面網１１に沿って形成されているが、石詰篭構造体１Ａ，１Ｂ，１Ｃの設置態様によっては他の側面網に沿って形成されることもある。即ち、石詰篭２の第３又は第４の側面網１３又は１４が土壌２３と接触するような設置態様では、吸水部４ａが、この第３又は第４の側面網１３又は１４に沿って形成されることになる。あるいは、石詰篭２の複数の側面網が土壌２３と接触するような態様で石詰篭構造体が設置される場合には、その土壌２３と接触する全ての側面網に沿って吸水部４ａが形成されることもある。
【００３２】
また、上記第２あるいは第３実施形態のように基盤マット４の吸水部４ａを石詰篭２の外部に設ける場合、該吸水部４ａは必ずしも石詰篭２の何れかの側面網に沿って折り曲げる必要はなく、該側面網との間に角度を持たせて延在させても良い。その角度が実質的に９０度である場合は、該吸水部４ａが基盤マット４からほぼ真っ直ぐ石詰篭２の側方に延出することになる。このように吸水部４ａと側面網との間に角度を持たせると、該吸水部４ａの両面が土壌２３と接触することになるため、土壌２３からの水分の吸収性が良くなる。
【符号の説明】
【００３３】
１Ａ，１Ｂ，１Ｃ      石詰篭構造体
２      石詰篭
３      栗石
４      基盤マット
４ａ      吸水部
５      植生マット
７      胴網
８      蓋網
２０      外皮
２１      保水材
２２      擁壁
２３      土壌
２６      固定部材
【図１】
2010242422.tif 000003
【図２】
2010242422.tif 000004
【図３】
2010242422.tif 000005
【図４】
2010242422.tif 000006
【図５】
2010242422.tif 000007
【図６】
2010242422.tif 000008
【図７】
2010242422.tif 000009
【図８】
2010242422.tif 000010
【図９】
2010242422.tif 000011